(57)【要約】【課題】監視エリアの状況、あるいはセキュリティーレベルに応じてシステムの運用モードを切り換えることができる入退室管理システムを提供する【解決手段】監視エリア１の入口２付近に設置され、監視エリア１への入室者８のＲＦＩＤタグ９に基づいて個人認証を実施する個人認証端末５と、個人認証端末５の認証結果に基づいて監視エリア１への入室者８の人数を監視するサーバ装置１０とを備え、サーバ装置１０は、監視エリア１への入室者８の人数の監視結果に応じて監視エリア１に対するシステムの運用モードを切り換える運用モード切り換え手段１１を有する。【選択図】図１
2012168785.tif 000002
【特許請求の範囲】
【請求項１】
特定者を含む多数の利用者がセキュリティー対象となる監視エリアに入室するような環境に用いられる入退室管理システムにおいて、
前記監視エリアの入口付近に設置され、該監視エリアへの入室者の個人認証手段に基づいて個人認証を実施する個人認証端末と、
前記個人認証端末の認証結果に基づいて前記監視エリアへの入室者の人数若しくは単位時間当たりの移動人数を監視するサーバ装置と、を備え、
前記サーバ装置は、前記監視エリアへの入室者の人数若しくは単位時間当たりの移動人数の監視結果に応じて前記監視エリアに対するシステムの運用モードを切り換える運用モード切り換え手段を有することを特徴とする入退室管理システム。
【請求項２】
前記個人認証手段は、ＲＦＩＤタグであることを特徴とする請求項１に記載の入退室管理システム。
【請求項３】
前記監視エリアの入口付近に前記個人認証手段の非保有者にアラームを発報する警報装置を設置したことを特徴とする請求項１または２に記載の入退室管理システム。
【請求項４】
前記システムの運用モードは、前記監視エリアの入口を開閉して前記個人認証手段の保有者のみ入室させる有資格者モードと、前記監視エリアの入口を開放して前記個人認証手段の非保有者に対し、前記警報装置によりアラームを発報する不審者検知モードであることを特徴とする請求項３に記載の入退室管理システム。
【請求項５】
管理センターを備え、前記個人認証端末が、特定の前記個人認証手段を保有する特定者の個人認証を実施した場合、前記サーバ装置は前記管理センターへ特定者の認識を連絡すると共に、前記運用モード切り換え手段を前記特定者に適したモードに設定することを特徴とする請求項１〜４の何れか一項に記載の入退室管理システム。
【請求項６】
前記監視エリアの入口に至るまでに、前記監視エリアよりセキュリティーレベルの低い第２の監視エリアを備え、前記第２の監視エリアに設けられたゲート付近に、ＲＦＩＤタグと、非接触カードで機能する非接触カードリーダーを設置したことを特徴とする請求項２〜５の何れか一項に記載の入退室管理システム。
【発明の詳細な説明】
【技術分野】
【０００１】
この発明は、例えばオープン性が高く、特定者を含む多数の利用者がセキュリティー対象となる監視エリアに入室するような環境において、該監視エリアの状況、あるいはセキュリティーレベルに応じてシステムの運用モードを切り換えることができる入退室管理システムに関するものである。
【背景技術】
【０００２】
従来の入退室管理システムは、セキュリティー対象となる監視エリア（以下、単に監視エリアという。）毎に、個人認証手段である例えばＲＦＩＤタグの保有者と非保有者のいずれかを対象にした一定の運用モードが採用されており、監視エリアの状況、あるいはセキュリティーレベルに応じてシステムの運用モードを切り換えるものではない。
【０００３】
例えば、監視エリアのセキュリティーレベルが高いシステムにおいては、監視エリアのゲートを開閉方式にして、ＲＦＩＤタグの保有者が監視エリアに入室する場合は監視エリアのゲートが開放し、ＲＦＩＤタグの非保有者が監視エリアに入室する場合は監視エリアのゲートを非開放とすることにより、ＲＦＩＤタグの保有者のみ監視エリアに入室させる方式が採用されている。また、監視エリアのセキュリティーレベルがそれほど高くないシステムにおいては、監視エリアのゲートを常時開放方式にして、ＲＦＩＤタグの保有者が監視エリアに入室する場合はこれを許可し、ＲＦＩＤタグの非保有者が監視エリアに入室する場合はアラームを発報して入室させない方式が採用されている。
【０００４】
前記のように、従来の入退室管理システムは、監視エリアのセキュリティーレベルに応じて一定した運用となっており、特定者、即ち、ＲＦＩＤタグの保有者や、不特定の訪問者、即ち、ＲＦＩＤタグの非保有者の物理的な出入りが発生するオープン性の高い環境、例えば病院の産室や育児室や病室、介護施設、博物館や美術館などの施設や空間、一般の親子や高齢者などの訪問・面会が多い施設などにおいては、利便性に欠けて適用できないものとなる。
【０００５】
このため、例えば、特開２００６−１６３４５６号公報（特許文献１）に開示されているように、個人認証手段として非接触カードも流用することを前提に、監視エリアのゲートに人感センサー付きカメラと警報ランプを設置して入退室管理を行うサーバ装置に接続し、このサーバ装置で利用者の個人認証情報と入退室状況を示す情報などを管理する入退室管理装置が提案されている。
【先行技術文献】
【特許文献】
【０００６】
【特許文献１】特開２００６−１６３４５６号公報（要約の欄、図１）
【発明の概要】
【発明が解決しようとする課題】
【０００７】
前記特許文献１に開示された入退室管理装置は、人感センサー付きカメラが入退室する利用者を検知して外観を撮影し、そのデータを含む電文をサーバ装置に送り、サーバ装置が電文をもとに入退室利用者を認証し、訪問者（ＲＦＩＤタグの非保有者に相当）が入室する場合は、スタッフ（ＲＦＩＤタグの保有者に相当）が一人以上在室している状況の場合にのみ入室許可信号を出力し、入室を許可するものである。
【０００８】
前記特許文献１に開示された入退室管理装置によれば、監視エリアへの入退室にあたって、スタッフは自由に入退室が可能となり、一般の訪問者は一定の条件のもとで入退室が可能となる。従って、オープン性の高い環境において簡便なセキュリティーを実現して、利用者やシステム運用・管理者の負担軽減も実現することができる。
【０００９】
しかし、前記特許文献１に開示された入退室管理装置は、スタッフと一般の訪問者とを区別して監視エリアへの入退室を許可するシステムではあるが、監視エリアの状況、あるいはセキュリティーレベルに応じてシステムの運用モードを切り換えるものではなく、常に一定した運用モードに基づいた入退室管理装置であるため、スタッフと一般の訪問者の両者に対して利便性とセキュリティー性を両立したシステムの運用が提供できていない問題点がある。
【００１０】
また、監視エリアへの入室人数について考慮されておらず、多数の利用者が一度に監視エリアに入室するような場合に監視エリアのゲート前で混乱を生じる問題点もある。
【００１１】
この発明は、前記のような問題点に鑑みてなされたものであり、その目的は、多数の利用者がセキュリティー対象となる監視エリアに入室するような環境において、該監視エリアの状況、あるいはセキュリティーレベルに応じてシステムの運用モードを切り換えることができる入退室管理システムを提供することにある。
【課題を解決するための手段】
【００１２】
この発明に係る入退室管理システムは、特定者を含む多数の利用者がセキュリティー対象となる監視エリアに入室するような環境に用いられる入退室管理システムにおいて、
前記監視エリアの入口付近に設置され、該監視エリアへの入室者の個人認証手段に基づいて個人認証を実施する個人認証端末と、前記個人認証端末の認証結果に基づいて前記監視エリアへの入室者の人数若しくは単位時間当たりの移動人数を監視するサーバ装置と、を備え、前記サーバ装置は、前記監視エリアへの入室者の人数若しくは単位時間当たりの移動人数の監視結果に応じて前記監視エリアに対するシステムの運用モードを切り換える運用モード切り換え手段を有する。
【発明の効果】
【００１３】
この発明に係る入退室管理システムによれば、前記構成により、利用者に対して利便性とセキュリティー性を両立したシステム運用が提供できると共に、多数の利用者が一度に監視エリアに入室するような場合に、ゲート前で混乱を生じる問題点が解消できる。
【図面の簡単な説明】
【００１４】
【図１】この発明の実施の形態１に係る入退室管理システムの概要を説明するブロック図である。
【図２】この発明の実施の形態１に係る入退室管理システムの動作を説明するフローチャートである。
【図３】この発明の実施の形態１に係る入退室管理システムの切り換え方法を説明する図である。
【図４】この発明の実施の形態１に係る入退室管理システムの切り換え方法を説明する図である。
【図５】この発明の実施の形態２に係る入退室管理システムの動作を説明するフローチャートである。
【図６】この発明の実施の形態３に係る入退室管理システムの概要を説明するブロック図である。
【図７】この発明の実施の形態３に係る入退室管理システムの動作を説明するフローチャートである。
【図８】この発明の実施の形態４に係る入退室管理システムの概要を説明するブロック図である。
【図９】この発明の実施の形態４に係る入退室管理システムの動作を説明するフローチャートである。
【発明を実施するための形態】
【００１５】
以下、添付の図面を参照して、この発明に係る入退室管理システムについて好適な実施の形態を説明する。なお、この実施の形態により発明が限定されるものではなく、諸種の設計的変更を含むものである。
【００１６】
実施の形態１．
図１は、この発明の実施の形態１に係る入退室管理システムの概要を説明するブロック図である。図１において、符号１はセキュリティー対象となる監視エリアを示し、この監視エリア１は、例えば博物館や美術館などの施設のように、オープン性が高く、特定者を含む多数の利用者が入室すると共に、美術品などの展示品が展示されているような環境にある。監視エリア１の入口２には駆動装置３により開閉駆動されるゲート４が設けられており、ゲート４の付近には個人認証端末５が設置されている。また、ゲート４の付近には警報装置６が設置されており、センサー７の作動によりアラームが発報されるように構成されている。
【００１７】
個人認証端末５は、監視エリア１への入室者８の個人認証手段であるＲＦＩＤタグ９により個人認証を実施し、認証結果をサーバ装置１０に出力する。サーバ装置１０は、個人認証端末５の認証結果を得て駆動装置３にゲート４の開放指令を出力する運用モード切り換え手段１１を有し、この運用モード切り換え手段１１の出力により駆動装置３が動作してゲート４を開放する。これによりＲＦＩＤタグ９を保有する入室者８は監視エリア１へ入室する。
【００１８】
サーバ装置１０は、監視エリア１の状況、例えば、監視エリア１に多数の入室者８が予想される状況か否かにより運用モード切り換え手段１１の動作モードを設定し、運用モード切り換え手段１１は、後述するようにシステムの運用モードを切り換えるように動作する。なお、サーバ装置１０は、個人認証端末５より出力されるＲＦＩＤタグ９の認証結果が規定以上か否かにより、多数の入室者８が予想される状況か否かを判断する。
【００１９】
実施の形態１に係る入退室管理システムは前記のように構成されており、次にその運用モード、並びに動作について図２〜図４を用いて説明する。図２は、実施の形態１に係る入退室管理システムの動作を説明するフローチャートであり、図３および図４は、実施の形態１に係る入退室管理システムによるシステムの切り換え方法を説明する図である。
図２において、サーバ装置１０は、ステップＳ２１で監視エリア１への人数が規定以上か否か判断し、監視エリア１への人数が規定未満であれば、ステップＳ２２でサーバ装置１０の運用モード切り換え手段１１を「有資格者モード」に設定し、監視エリア１への人数が規定以上であれば、ステップＳ２３で運用モード切り換え手段１１を「不審者検知モード」に設定する。
【００２０】
ここで、「有資格者モード」とは、個人認証手段であるＲＦＩＤタグ９を保有する入室者８のみを入室させ、ＲＦＩＤタグ９を保有しない入室者８は入室させないモードであって、例えば、監視エリア１への入室者８が多数予想されない場合に設定される。また、「不審者検知モード」とは、ＲＦＩＤタグ９を保有しない入室者８を検知した場合にアラームを発報するモードであって、例えば、監視エリア１への入室者８が多数予想される場合に設定される。
【００２１】
ＲＦＩＤタグ９を保有する入室者８が個人認証端末５により個人認証されて、サーバ装置１０の運用モード切り換え手段１１が「有資格者モード」に設定された場合は、運用モード切り換え手段１１は駆動装置３に対して入口２のゲート４を開放する指令を出力する。これにより、監視エリア１へのＲＦＩＤタグ９を保有する入室者８の監視エリア１への入室を可能にする。図３（ａ）はこの様子を示している。
【００２２】
入室者８がＲＦＩＤタグ９を保有していない場合は、運用モード切り換え手段１１は駆動装置３に対して入口２のゲート４を開放する指令を出力しないためゲート４は開放されず、ＲＦＩＤタグ９を保有していない入室者８は監視エリア１へ入室できない。図３（ｂ）はこの様子を示している。
【００２３】
次に、サーバ装置１０の運用モード切り換え手段１１が「不審者検知モード」に設定された場合は、運用モード切り換え手段１１は駆動装置３に対して入口２のゲート４を開放する指令を出力し、ゲート４は開放状態となる。そして、個人認証端末５により個人認証されたＲＦＩＤタグ９を保有する入室者８の監視エリア１への入室を可能にする。図４（ａ）はこの様子を示している。
【００２４】
しかし、入室者８がＲＦＩＤタグ９を保有していない場合は、サーバ装置１０は警報装置６に対してアラームを発報する指令を出力し、警報装置６がアラームを発報してＲＦＩＤタグ９を保有していない入室者８、即ち、不審者を検知する。図４（ｂ）はこの様子を示している。
【００２５】
このように、実施の形態１に係る入退室管理システムは、多数の利用者がセキュリティー対象となる監視エリア１に入室するような環境において、該監視エリア１の状況に応じてシステムの運用モードを切り換える。即ち、多数の利用者がセキュリティー対象となる監視エリア１に入室しない場合にはサーバ装置１０の運用モード切り換え手段１１を「有資格者モード」に設定し、多数の利用者がセキュリティー対象となる監視エリア１に入室する場合にはサーバ装置１０の運用モード切り換え手段１１を「不審者検知モード」に設定する。従って、利用者に対して利便性とセキュリティー性を両立したシステムの運用が提供できると共に、多数の利用者が一度に監視エリアに入室するような場合に、ゲート前で混乱を生じる問題点が解消できる。
【００２６】
実施の形態２．
次に、この発明の実施の形態２に係る入退室管理システムについて説明する。実施の形態１では、監視エリア１に多数の入室者が予想される状況か否かにより、サーバ装置１０の運用モード切り換え手段１１を「有資格者モード」または「不審者検知モード」に設定する場合について説明した。実施の形態２は、監視エリア１への単位時間あたりの移動人数によって、サーバ装置１０の運用モード切り換え手段１１を「有資格者モード」にするか、「不審者検知モード」に設定するものである。なお、入退室管理システムを構成する装置については実施の形態１と同様であり、図示説明を省略する。
【００２７】
図５は、実施の形態２に係る入退室管理システムの動作を説明するフローチャートである。図５において、サーバ装置１０は、ステップＳ５１で監視エリア１への単位時間あたりの移動人数が規定以上か否か判断し、監視エリア１への単位時間あたりの移動人数が規定未満であれば、ステップＳ５２でサーバ装置１０の運用モード切り換え手段１１を「有資格者モード」に設定し、監視エリア１への単位時間あたりの移動人数が規定以上であれば、ステップＳ５３でサーバ装置１０の運用モード切り換え手段１１を「不審者検知モード」に設定する。なお、サーバ装置１０の運用モード切り換え手段１１によりシステムの運用モードを切り換えた後は、実施の形態１と同様であり、説明を省略する。また、サーバ装置１０は、個人認証端末５より出力されるＲＦＩＤタグ９の認証結果が規定以上か否かにより、監視エリア１への単位時間あたりの移動人数が規定以上か否か判断する。
【００２８】
以上のように、実施の形態２に係る入退室管理システムにおいても、実施の形態１と同様に、多数の利用者がセキュリティー対象となる監視エリア１に入室するような環境において、該監視エリアの状況に応じてシステムの運用モードを切り換える。即ち、監視エリア１への単位時間あたりの移動人数が規定未満の場合には、サーバ装置１０の運用モード切り換え手段１１を「有資格者モード」に設定し、監視エリア１への単位時間あたりの移動人数が規定以上の場合には、サーバ装置１０の運用モード切り換え手段１１を「不審者検知モード」に設定する。従って、利用者に対して利便性とセキュリティー性を両立したシステムの運用が提供できると共に、多数の利用者が一度に監視エリアに入室するような場合に、ゲート前で混乱を生じる問題点が解消できる。
【００２９】
実施の形態３．
次に、この発明の実施の形態３に係る入退室管理システムについて説明する。実施の形態３は、特定者のＲＦＩＤタグ保有者を個人認証し、所定の対応を行うものである。図６は、実施の形態３に係る入退室管理システムの概要を説明するブロック図である。図６において、符号６０は、システムの管理を行う管理センターを示し、この管理センター６０は、サーバ装置１０に有線、もしくは無線により接続されている。管理センター６０とサーバ装置１０との間では常に情報の授受が行われている。なお、その他の構成は実施の形態１と同様であるので重複説明を省略する。
【００３０】
次に、実施の形態３に係る入退室管理システムの動作について説明する。図７は、実施の形態３に係る入退室管理システムの動作を説明するフローチャートである。図７において、ステップＳ７１で、個人認証端末５がＲＦＩＤタグ９により監視エリア１へ入室する特定者の個人認証を実施し、認証結果をサーバ装置１０に出力する。
【００３１】
サーバ装置１０は、個人認証端末５の認証結果を得ることにより、ステップＳ７２において運用モード切り換え手段１１を不審者モードに設定し、ステップＳ７３で管理センターへ特定者の認識を連絡する。これにより管理センター６０は特定者が監視エリア１へ入室することを把握する。
【００３２】
次に、運用モード切り換え手段１１が不審者モードに設定されることにより、ステップＳ７４において、駆動装置３に対してゲート４の開放指令が出力される。これによりゲート４が開放され、特定者は監視エリア１へ入室する。
【００３３】
次に、特定者が監視エリア１へ入室するとセンサー７が作動し、その信号がサーバ装置１０に出力され、サーバ装置１０は、ステップＳ７５において、運用モード切り換え手段１１を「有資格者モード」に設定する。
【００３４】
次に、サーバ装置１０は、ステップＳ７６で監視エリア１への人数が規定以上か否かをＲＦＩＤタグ保有者の個人認証により判断し、監視エリア１への人数が規定未満であれば、ステップＳ７７でサーバ装置１０の運用モード切り換え手段１１を「有資格者モード」のままの設定とし、監視エリア１への人数が規定以上であれば、ステップＳ７８で運用モード切り換え手段１１を「不審者検知モード」に設定する。
【００３５】
なお、前記においては、個人認証端末５が特定者の個人認証を実施し場合、サーバ装置１０が運用モード切り換え手段１１を不審者モードに設定し、当該特定者を監視エリア１に入室させる場合について説明したが、運用モード切り換え手段１１を有資格者モードに設定し、当該特定者を監視エリア１に入室させないようにしてもよく、前記特定者に対して適したモードに設定すればよい。
【００３６】
また、前記においては、監視エリア１への人数が規定以上か否か判断してサーバ装置１０の運用モード切り換え手段１１を「有資格者モード」あるいは「不審者検知モード」に設定する場合について説明したが、実施の形態２で説明したように、監視エリア１への単位時間あたりの移動人数が規定以上か否か判断してサーバ装置１０の運用モード切り換え手段１１を「有資格者モード」あるいは「不審者検知モード」に設定するようにしてもよい。
【００３７】
以上のように、実施の形態３に係る入退室管理システムは、ＲＦＩＤタグの保有者のうちかから、特定者を個人認証し、該特定者のみに対して状況に応じた運用を可能とし、併せて実施の形態１あるいは実施の形態２と同様に監視エリア１の状況に応じてシステムの運用モードを切り換えることができる。
【００３８】
実施の形態４．
次に、この発明の実施の形態４に係る入退室管理システムについて説明する。実施の形態１あるいは実施の形態２では、監視エリアの入口に設けられたゲート付近に個人認証端末を設置し、個人認証手段としてＲＦＩＤタグを用いた場合について説明した。実施の形態４は、実施の形態１で説明した監視エリアの入口に至るまでに、前記監視エリアよりセキュリティーレベルが低い第２の監視エリアが存在し、該第２の監視エリアに設けられた第２のゲート付近に、ＲＦＩＤタグと、ＩＣカード、磁気カードなどの非接触カードで機能する非接触カードリーダーを設置する入退室管理システムを説明するものである。
【００３９】
かかる構成により、非接触カード保有者は、非接触カードを該カードリーダーにかざすことで第２の監視エリアのゲートが開放し、第２の監視エリアに入室し、監視エリアの入口に至ることができる。また、ＲＦＩＤタグ保有者は、第２の監視エリア１ａの入口２ａ付近に至ることにより第２の監視エリアのゲートが開放し、第２の監視エリアに入室し、監視エリアの入口に至ることができる。そして、監視エリアの入口に至った後は、実施の形態１あるいは実施の形態２と同様の動作が行われることになる。
【００４０】
図８は、実施の形態４に係る入退室管理システムの概要を説明するブロック図である。図８において、符号１ａはセキュリティー対象となる第２の監視エリアを示し、この第２の監視エリア１ａは、監視エリア１よりセキュリティーレベルが低い監視エリアである。第２の監視エリア１ａの入口２ａには駆動装置３により開閉駆動されるゲート４ａが設けられており、ゲート４ａの付近には非接触カードリーダー８０が設置されている。この非接触カードリーダー８０は、ＲＦＩＤタグと、ＩＣカード、磁気カードなどの非接触カードで機能するように構成されている。また、サーバ装置１０は、非接触カードリーダー８０の認証結果を得て駆動装置３にゲート４の開放指令を出力する運用モード切り換え手段１１を有している。なお、その他の構成については実施の形態１と同様であり、同一符号を付すことにより説明を省略する。
【００４１】
実施の形態４に係る入退室管理システムは前記のように構成されており、次にその動作について図９を用いて説明する。図９は、実施の形態４に係る入退室管理システムの動作を説明するフローチャートである。図９において、ステップＳ９１において、非接触カード保有者は、第２の監視エリア１ａの非接触カードリーダー８０に非接触カードをかざすことにより、また、ＲＦＩＤタグ保有者は第２の監視エリア１ａの入口２ａ付近に至ることにより認証され、サーバ装置１０に認証結果が出力される。
【００４２】
そしてステップＳ９２において、サーバ装置１０は運用モード切り換え手段１１を制御して「不審者検知モード」に設定し、第２のゲート４ａを駆動装置３により開放する。
【００４３】
これによりステップＳ９３において、非接触カード保有者およびＲＦＩＤタグ保有者が第２のゲート４ａを通行し、第２の監視エリア１ａに入室することができる。
【００４４】
その後、ステップＳ９４において、非接触カード保有者およびＲＦＩＤタグ保有者が監視エリア１の入口２付近に至ると、実施の形態１で説明したように、個人認証端末５がＲＦＩＤタグ保有者の認証結果をサーバ装置１０に出力し、監視エリア１への人数が規定以上か否か判断する。そして、監視エリア１への人数が規定未満であれば、ステップＳ９５でサーバ装置１０の運用モード切り換え手段１１が、監視エリア１に対するシステム運用を「有資格者モード」に設定され、監視エリア１への人数が規定以上であれば、ステップＳ９６で「不審者検知モード」に設定される。なお、監視エリア１への入室については、非接触カード保有者は不審者となり、入室しようとすると警報装置６によりアラームが発報される。
【００４５】
なお、前記においては、監視エリア１への人数が規定以上か否か判断してサーバ装置１０の運用モード切り換え手段１１を「有資格者モード」あるいは「不審者検知モード」に設定する場合について説明したが、実施の形態２で説明したように、監視エリア１への単位時間あたりの移動人数が規定以上か否か判断してサーバ装置１０の運用モード切り換え手段１１を「有資格者モード」あるいは「不審者検知モード」に設定するようにしてもよい。
【００４６】
以上のように、実施の形態４に係る入退室管理システムにおいても、実施の形態１あるいは実施の形態２と同様に、多数の利用者がセキュリティー対象となる監視エリア１に入室するような環境において、該監視エリアの状況に応じてシステムの運用モードを切り換える。即ち、監視エリア１への人数あるいは単位時間あたりの移動人数が規定未満の場合には、サーバ装置１０の運用モード切り換え手段１１を「有資格者モード」に設定し、監視エリア１への人数あるいは単位時間あたりの移動人数が規定以上の場合には、サーバ装置１０の運用モード切り換え手段１１を「不審者検知モード」に設定する。従って、利用者に対して利便性とセキュリティー性を両立したシステムの運用が提供できると共に、多数の利用者が一度に監視エリアに入室するような場合に、ゲート前で混乱を生じる問題点が解消できる。
【００４７】
また、ＲＦＩＤタグ機能を兼ね備えた非接触カードリーダーを使用し、非接触カード保有者に対しても、非接触カードをカードリーダーにかざすことでＲＦＩＤタグ保有者と共に入室できる第２の監視エリアを追加して設けることができる。即ち、セキュリティーレベルをＲＦＩＤタグ保有者＞非接触カード保有者とすることができ、これにより、ＲＦＩＤタグより安価な非接触カードによるゲストカード対応や、テナント毎に保有している非接触カードをシステムの変更を行うことなく追加することができ、かつＲＦＩＤタグ保有者と非接触カード保有者のセキュリティーレベルを区別することができる。
【００４８】
また、前記各実施の形態においては、監視エリア１への人数あるいは単位時間あたりの移動人数が規定未満の場合には、サーバ装置１０の運用モード切り換え手段１１を「有資格者モード」に設定し、監視エリア１への人数あるいは単位時間あたりの移動人数が規定以上の場合には、サーバ装置１０の運用モード切り換え手段１１を「不審者検知モード」に設定する場合について説明したが、「有資格者モード」または「不審者検知モード」への切り換えをセキュリティーレベルに基づき切り換えるようにしてもよい。但し、この場合は多数の利用者が一度に監視エリアに入室するような場合に、ゲート前で混乱を生じる可能性が生じる。
【符号の説明】
【００４９】
１  監視エリア                          １ａ  第２監視エリア
２、２ａ  入口                          ３  駆動装置
４、４ａ  ゲート                        ５  個人認証端末
６  警報装置                            ７  センサー
８  入室者                              ９  ＲＦＩＤタグ
１０  サーバ装置                        １１  運用モード切り換え手段
８０  非接触カードリーダー
【図１】
2012168785.tif 000003
【図２】
2012168785.tif 000004
【図３】
2012168785.tif 000005
【図４】
2012168785.tif 000006
【図５】
2012168785.tif 000007
【図６】
2012168785.tif 000008
【図７】
2012168785.tif 000009
【図８】
2012168785.tif 000010
【図９】
2012168785.tif 000011